(57)【要約】【課題】放熱性に優れた給水装置を提供する。【解決手段】実施形態にかかる給水装置は、ポンプ装置と、前記ポンプ装置を支持する架台と、前記架台とともに前記ポンプ装置を収容する収容部を構成するポンプカバーと、前記収容部内の前記ポンプ装置上に配される吸気ボックスと、前記収容部内に配され、前記吸気ボックス内に連通し下方に延びる流路を構成するダクトと、を備える。【選択図】      図４
2019143589.tif 000002
【特許請求の範囲】
【請求項１】
ポンプ装置と、
前記ポンプ装置を支持する架台と、
前記架台とともに前記ポンプ装置を収容する収容部を構成するポンプカバーと、
前記収容部内の前記ポンプ装置上に配される吸気ボックスと、
前記収容部内に配され、前記吸気ボックス内に連通し下方に延びる流路を構成するダクトと、
を備える、給水装置。
【請求項２】
前記ポンプ装置は、ポンプと、前記ポンプ上に配されるモータと、を備え、
前記ダクトは、一端が前記吸気ボックス内に連通し、前記ポンプ装置の側部において上下方向に延び、他端が前記収容部の下部に至り、
前記吸気ボックスは、前記ポンプ装置に設けられる前記モータの上部から、前記ダクトの内部の流路に連通する、空間を形成する、請求項１記載の給水装置。
【請求項３】
前記吸気ボックスは吸音材で構成された、請求項１または請求項２に記載の給水装置。
【請求項４】
前記収容部内に複数の前記ポンプ装置が縦置きされ、
前記吸気ボックスは、複数の前記ポンプ装置の上部に連通する空間を形成し、
前記架台は、前記収容部内に配され前記ポンプ装置に接続される配管及び前記ポンプ装置を支持するとともに前記収容部内を上下に分離する仕切りフレームを備え、
前記ダクトは前記仕切りフレームに接続される請求項１乃至請求項３のいずれかに記載の給水装置。
【請求項５】
前記ポンプ装置の下方に設けられた軸流ファンと、前記軸流ファンを収容するファンカバーと、を備え、
前記ダクトの他端側の開口は前記ファンカバー内の空間に連通する、請求項１乃至請求項３のいずれかに記載の給水装置。
【請求項６】
前記吸気ボックスは、複数のポンプ装置にそれぞれ設けられるモータの上部にそれぞれ対向する複数の個別孔部を有し、前記モータの上部に配される第１吸気部材と、
前記複数の個別孔部に連通する共通孔部を有し、前記第１吸気部材上に積層される第２吸気部材と、
前記第２吸気部材上に積層され、前記ダクトの上部開口と前記共通孔部を覆う第３吸気部材と、を備える、請求項１乃至請求項５のいずれかに記載の給水装置。
【発明の詳細な説明】
【技術分野】
【０００１】
本発明は、放熱性の高い給水装置に関する。
【背景技術】
【０００２】
直結給水装置等の給水装置において、例えば、架台と防滴用のポンプカバーとで構成される収容部に、モータを備えるポンプ装置、配管、アキュムレータ、及び制御盤等の構成品が収容されたパッケージ型の給水装置が知られている（例えば、特許文献１参照）。
【先行技術文献】
【特許文献】
【０００３】
【特許文献１】特開２００１−５０１６８号公報
【発明の概要】
【発明が解決しようとする課題】
【０００４】
このような給水装置はポンプカバー内におけるモータや制御基板の発熱による温度上昇を抑制する技術が望まれている。一方で、屋外で使用されることも多く、防音性が求められる。
【０００５】
そこで、本発明は放熱性の高い給水装置を提供することを目的とする。
【課題を解決するための手段】
【０００６】
実施形態にかかる給水装置は、ポンプ装置と、前記ポンプ装置を支持する架台と、前記架台とともに前記ポンプ装置を収容する収容部を構成するポンプカバーと、前記収容部内の前記ポンプ装置上に配される吸気ボックスと、前記収容部内に配され、前記吸気ボックス内に連通し下方に延びる流路を構成するダクトと、を備える。
【発明の効果】
【０００７】
本発明によれば放熱性の高い給水装置を提供することができる。
【図面の簡単な説明】
【０００８】
【図１】本発明の一実施形態にかかる給水装置の正面図。
【図２】同給水装置の内部構成を一部断面で示す正面図。
【図３】同給水装置の内部構成を一部断面で示す正面図。
【図４】同給水装置の内部構成を一部断面で示す側面図。
【図５】同給水装置の内部構成を一部断面で示す平面図。
【図６】同給水装置の吸気ボックスの構成を示す断面図。
【図７】同給水装置の吸気ボックスの第１吸気部材の構成を示す平面図。
【図８】同給水装置の吸気ボックスの第２吸気部材の構成を示す平面図。
【図９】同給水装置の吸気ボックスの第３吸気部材の構成を示す平面図。
【図１０】他の実施形態にかかる給水装置の内部構成を一部断面で示す正面図。
【図１１】同給水装置の内部構成を一部断面で示す側面図。
【図１２】同給水装置の内部構成を一部断面で示す平面図。
【図１３】同給水装置の吸気ボックスの構成を示す説明図。
【図１４】同給水装置の補助ダクト部材の構成を示す断面図。
【発明を実施するための形態】
【０００９】
以下、本発明の一実施形態にかかる給水装置１０について、図１乃至図８を参照して説明する。図１は本発明の一実施形態にかかる給水装置１０の外観を示す正面図であり、図２は吸込管を通る断面を正面側から見た説明図、図３は給水装置１０の吐出管を通る断面を正面側、すなわち前方から見た説明図である。図４は給水装置１０の断面を側方から見た説明図である。図５は給水装置１０の内部構成を上から見た図である。図６乃至８は吸気ボックス４０の構成を示す説明図である。図６は吸気ボックス４０の第１吸気部材４１、図７は吸気ボックス４０の第２吸気部材４２、図８は吸気ボックス４０の第３吸気部材４３の断面図である、
図１乃至図５に示すように、給水装置１０は、架台１１と、ポンプカバー１２と、複数のポンプ装置２０と、配管３０と、吸気ボックス４０と、ダクト４４と、逆流防止装置１３と、アキュムレータ１４と、制御盤１５と、を備える。給水装置１０は、架台１１とポンプカバー１２により区画された収容部である収容空間内に、ポンプ装置２０や配管３０、制御盤１５などの構成部品を収納した、パッケージ型の給水装置である。
【００１０】
架台１１は、互いに直交する３方向にそれぞれ沿う、底フレーム１１ａと、後部フレーム１１ｂと、サイドフレーム１１ｃと、仕切りフレーム１１ｄと、を備える。
【００１１】
底フレーム１１ａは、矩形の枠状に構成され、サイドフレーム１１ｃの両側面を連結している。サイドフレーム１１ｃの両側面の外側には脚フレーム１１ｋが取付けられている。脚フレーム１１ｋは互いに対向する一対のフレーム部材で構成され、サイドフレーム１１ｃの両側面外側に取り付けられ、締結部材用の孔部を有する。脚フレーム１１ｋは給水装置１０を設置する地上設置面上に配される。
【００１２】
後部フレーム１１ｂは矩形の板状に構成されている。後部フレーム１１ｂは、底フレーム１１ａの後方のフレーム部材上に立設され、上方に延びている。
【００１３】
サイドフレーム１１ｃは、後部フレーム１１ｂの幅方向両端縁から屈曲して前方に延びる。サイドフレーム１１ｃの下部の領域は、仕切りフレーム１１ｄの幅方向両端縁に接続され、一対の脚片を形成する。サイドフレーム１１ｃの内側壁面には、操作方法の説明図や内部ブロック図が貼り付けられ、表示されている。
【００１４】
仕切りフレーム１１ｄは、矩形の板状に構成され、後部フレーム１１ｂの前面の所定位置から前方に延びる。仕切りフレーム１１ｄは、後部フレーム１１ｂと直交する姿勢に配され、収容空間を上下に仕切る。仕切りフレーム１１ｄは、例えば水平に配される。仕切りフレーム１１ｄは、収容部をポンプ装置２０が配される上部収容室Ａ１とアキュムレータ１４等が配される下部収容室Ａ２とに分離する。
【００１５】
仕切りフレーム１１ｄには、孔部として、吸込口３１ａに接続される吸込用配管３０ａが貫通する吸込連結管孔１１ｅと、吐出口３５ａに接続される吐出用配管３０ｂが貫通する吐出配管孔１１ｆと、逃がし弁部３８の開口である排水口３８ａの直下に位置する排水配管孔１１ｇと、排水配管孔１１ｇの外周に配されるホッパと、アキュムレータ１４を接続する接続配管用の接続配管孔１１ｈと、ダクト４４を接続するダクト用孔１１ｌと、が形成されている。仕切りフレーム１１ｄは下方に位置する底フレーム１１ａとの間に、所定の高さを有する配管スペースとなる下部収容室Ａ２を形成する。仕切りフレーム１１ｄは、上方に位置する逆流防止装置１３やポンプ装置２０、吸込連結管３２などに結露した水が落下した場合に外部に漏水しない様に受ける、結露水用のトレイとしての機能を有している。
【００１６】
ポンプカバー１２は、前壁部１２ａと、側壁部１２ｂと、上壁部１２ｃと、傾斜壁部１２ｄと、を一体に備える。ポンプカバー１２は、端縁部が架台１１のサイドフレーム１１ｃのねじ部に締結され、支持され、架台１１上に組付けられる。架台１１とポンプカバー１２とは、収容空間を覆い、内部の機器を保護する、防滴機能を有する。
【００１７】
前壁部１２ａはプレート状に構成され、架台１１の上部収容室Ａ１の前方を覆うとともに、下部収容室Ａ２の上部の領域を覆う。前壁部１２ａは、下端縁１２ｇが、架台１１の地上設置面よりも上方であり、底フレーム１１ａの上方に離間した位置に配され、アキュムレータ１４の大部分の前方を覆う。すなわち、前壁部１２ａにより給水制御に必要な内部機器であるアキュムレータ１４を風雨・煤塵より防護しつつ、下部収容室Ａ２の下側の領域は前方が開口している。前壁部１２ａの内面には防音性を高める吸音材１２ｅが貼り付けられている。
【００１８】
また、前壁部１２ａの、逆流防止装置１３の前方に対向する箇所には、透明な材料で構成された窓部１２ｉが形成されている。窓部１２ｉを通して外部から逆流防止装置１３の漏水を視認できる。
【００１９】
一対の側壁部１２ｂは、前壁部１２ａの両側縁からそれぞれ屈曲して後方に延びる。側壁部１２ｂは上部収容室Ａ１の側方をそれぞれ覆う。傾斜壁部１２ｄは、前壁部１２ａの上縁から屈曲して後方及び上方に向けて斜めに延びる。傾斜壁部１２ｄには、透明な材料で構成された窓部１２ｆが設けられている。窓部１２ｆを通して外部から内部が視認できる構成である。例えば窓部１２ｆは、制御盤１５の表示部に対向する位置に設けられ、表示部が外方から視認できる。
上壁部１２ｃは、傾斜壁部１２ｄの上後方の端縁から連続して屈曲して後方に延びる。上壁部１２ｃの両側縁は両側壁部１２ｂの上端縁に接続されている。上壁部１２ｃは上部収容室Ａ１の上方を覆う。
【００２０】
ポンプ装置２０は、モータ２１と、モータ２１に接続されたインペラを有する１段または複数段のポンプ２３と、を備え、流体を増圧して二次側に圧送する。本実施形態においては一対のポンプ装置２０が縦置きの状態で設置されている。
【００２１】
ポンプ２３は、下端部にポンプ吸込口２３ａを有し、正面部にポンプ吐出口２３ｂを有している。ポンプ吸込口２３ａには配管３０の吸込連結管３２が接続される。ポンプ吐出口２３ｂには各ポンプ２３の吐出側の流路を形成する個別吐出管３４ａが接続される。
【００２２】
各モータ２１はケーブルを介して制御盤１５に接続されている。制御盤１５に設けられる制御部の制御によりモータ２１が駆動され、ポンプ装置２０が運転制御される。モータ２１は上端部に配されるモータファン２１ｂと、モータファン２１ｂの外周部分を覆うファンカバー２１ｃと、を備える。ファンカバー２１ｃの上端面にはファン吸込口２１ｄが形成されている。
【００２３】
配管３０は、逆流防止装置１３の一次側に配される吸込連結曲管３１と、逆流防止装置１３の二次側に配される吸込連結管３２と、吸込連結管３２から分岐して各ポンプ２３のポンプ吸込口２３ａに至る一対のボール弁３３と、ポンプ２３のポンプ吐出口２３ｂに接続される複数の個別吐出管３４ａと、複数の個別吐出管３４ａとボール弁３３と連通する吐出し連結管３４ｂと、吐出し連結管３４ｂと吸込連結管３２を接続するバイパス連結部３６と、を備える。吸込連結管３２と吐出し連結管３４ｂは防振体を介して架台１１の後部フレーム１１ｂに固定された支持部材に固定されている。
【００２４】
吸込連結曲管３１は、一端側に吸込口３１ａを有している。吸込連結曲管３１の吸込口３１ａ近傍にはボール弁３３とストレーナ３７が内蔵されている。吸込連結曲管３１には第１の圧力検出部としての第１圧力センサ１６ａが設けられている。第１圧力センサ１６ａは、吸込連結曲管３１内の圧力、すなわち逆流防止装置１３の一次側の圧力を検出する。吸込連結曲管３１の他端は逆流防止装置１３に接続される。
【００２５】
逆流防止装置１３は、吸込連結曲管３１と吸込連結管３２との間に設けられている。逆流防止装置１３は流路における液体の流れの方向を一方向に規制する。逆流防止装置１３の下部に逃がし弁部３８が設けられている。
【００２６】
逃がし弁部３８は逆流防止装置１３から下方に延びている。逃がし弁部３８の下方の先端部の排水口３８ａには漏水検知電極３９が設けられている。漏水検知電極３９は、逆流防止装置１３からの漏水を検出する。検出された漏水信号は漏水検知基板６１へ送られる。
【００２７】
吸込連結管３２は、逆流防止装置１３の二次側に接続される。吸込連結管３２は例えば２台のポンプ装置２０の下方において水平に延びている。
【００２８】
一対のボール弁３３は、一対のポンプ２３のポンプ吸込口２３ａにそれぞれ接続される。各ボール弁３３は、流路を形成するとともに座面を有する管部３３ａと、管部３３ａ内に内蔵された弁体３３ｂと、弁体３３ｂを操作するステム３３ｃと、を備える。ボール弁３３は、ステム３３ｃを回動する操作により弁体３３ｂが回転することで、管部３３ａ内の流路を開閉する。
【００２９】
個別吐出管３４ａは、その一端がポンプ２３の側壁部に配されるポンプ吐出口２３ｂに接続されている。個別吐出管３４ａは、ポンプ吐出口２３ｂから前方に延び、屈曲して下方に延び、下方に設けられた吐出し連結管３４ｂに接続されている。個別吐出管３４ａ内であってポンプ吐出口に近い所定箇所には、流れ方向を一方向に規制する逆止弁１８が設けられている。また、個別吐出管３４ａの中途部には、個別吐出管３４ａ内の液体の流量を検出する流量検出部である流量センサ１７がそれぞれ設けられている。
【００３０】
吐出し連結管３４ｂは、複数の個別吐出管３４ａに接続されたボール弁３３の二次側に接続される。吐出し連結管３４ｂは例えば縦置きの２台のポンプ装置２０の下方において水平に延び、吸込連結管３２と並列に配置されている。
【００３１】
吐出し連結曲管３５は、ボール弁３３を介して吐出し連結管３４ｂに接続され、一端側に吐出口３５ａを有する。吐出し連結曲管３５は仕切りフレーム１１ｄに形成された吐出配管孔１１ｆを貫通して、蛇口などの給水先に接続される。吐出し連結曲管３５には第２の圧力検出部としての第２圧力センサ１６ｂが設けられている。第２圧力センサ１６ｂは、吐出し連結曲管３５内の圧力、すなわち各ポンプ２３の吐出圧力を検出する。
【００３２】
吐出し連結管３４ｂの他端側には、圧力を蓄えるためのアキュムレータ１４が接続される。
【００３３】
アキュムレータ１４は、吐出し連結管３４ｂの下方であって、仕切りフレーム１１ｄよりも下側の下部収容室に設けられる。アキュムレータ１４と吐出し連結管３４ｂを接続する接続配管１４ａは、仕切りフレーム１１ｄに形成された接続配管孔１１ｈを通って配されている。本実施形態において、アキュムレータ１４は、例えば１０Ｌ以上の内容量を有し、直径約２３ｃｍ、長さ約３７ｃｍに構成されている。アキュムレータ１４は、中心が水平に配設されている。アキュムレータ１４の下側であって装置設置面との間には、配管が配設可能なスペースが形成されている。アキュムレータ１４は接続配管１４ａを介して吐出し連結管３４ｂに接続されている。
【００３４】
バイパス連結部３６は吐出し連結管３４ｂと吸込連結管３２とを連通するバイパス流路を形成している。バイパス連結部３６内の所定箇所には、流れ方向を、吸込側から吐出し側の一方向に規制する逆止弁が設けられている。
【００３５】
吸気ボックス４０は、ポンプ装置２０上に設けられる。具体的には、吸気ボックス４０は、一対のポンプ装置２０のモータ２１のファン吸込口２１ｄが配された上端部と、ポンプカバー１２の上壁部１２ｃの下面との間に配される。吸気ボックス４０は、モータ２１の上部に密着して配される第１吸気部材４１と、第１吸気部材４１上に配される第２吸気部材４２と、第２吸気部材４２上に配される第３吸気部材４３とが積層されて構成されている。
【００３６】
第１吸気部材４１は、一対のモータ２１の上部の領域を含む所定の外形を有する板状に構成されている。例えば本実施形態において、第１吸気部材４１は長方形の外形を有し、複数のモータ２１の上部に配される円形の個別孔部４１ａがそれぞれ形成されている。個別孔部４１ａはモータ２１のファン吸込口２１ｄが対向する部位に形成されている。第１吸気部材４１の後端縁にはダクト４４が貫通するダクト凹部４１ｂが形成されている。ダクト凹部４１ｂはダクト４４の外面形状に沿う形状の凹みであり、上下方向に貫通するスリットである。第１吸気部材４１は、モータ２１の上部に密着して被せられる。
【００３７】
第２吸気部材４２は、第１吸気部材４１と同じ長方形の外形を有する板状部材であり、第１吸気部材４１上に積層され、例えば接着により接合されている。第２吸気部材４２は、複数の個別孔部４１ａ上に配され、複数の個別孔部４１ａに連通する共通孔部４２ａを有する。共通孔部４２ａは、一対の個別孔部４１ａを含む領域に形成される貫通孔であり，例えば長円形状に構成されている。また、第２吸気部材４２の後端縁には、共通孔部４２ａから外縁に至って切り欠かれたスリット４２ｂが形成されている。スリット４２ｂは、スリット４２ｂ内にダクト４４が配された際に、ダクト４４の上部開口４４ｂと共通孔部４２ａとを連通する。
【００３８】
第３吸気部材４３は第２吸気部材４２上に積層され、例えば接着により接合される。第３吸気部材４３は、第１吸気部材４１及び第２吸気部材４２と同じ長方形の外形を有する板状部材である。第３吸気部材４３は、ダクト４４の上部開口４４ｂと共通孔部４２ａの上側を覆う。
第１吸気部材４１、第２吸気部材４２、及び第３吸気部材４３は、例えば多孔質のウレタンフォームなどの発泡性樹脂材料で形成される吸音材で構成されている。ポンプ装置２０に設けられるモータ２１の上部に密着して配された際に、モータ２１の上面からダクト４４の上部開口４４ｂに至る空間４０ａを形成する。
【００３９】
ダクト４４は、上下方向に延びるダクト部材４４ａを備える。一例として、ダクト部材４４ａは金属板が、断面Ｕ字状に曲成されて構成されている。
【００４０】
ダクト部材４４ａは、ポンプ装置２０の側部において上下方向に延びる。例えば、ダクト部材４４ａは、後部フレーム１１ｂであって一対のポンプ装置２０の間の所定箇所に対向して取り付けられている。ダクト部材４４ａは、後部フレーム１１ｂとともに、上下方向に延びる流路を形成する。
【００４１】
上部開口４４ｂを有するダクト４４の上端部は、吸気ボックス４０内の所定位置に至り、吸気ボックス４０内に連通している。下部開口４４ｃを有するダクト４４の下端部は、仕切りフレーム１１ｄに接続されている。具体的には仕切りフレーム１１ｄに形成されたダクト用孔１１ｌに接続され、仕切りフレーム１１ｄの下側であって前方が開口された下部空間に、連通する。すなわち、ダクト４４と吸気ボックス４０により、仕切りフレーム１１ｄの下方の空間と、ポンプ装置２０の上端部とを接続する縦長の流路が形成される。
【００４２】
なお、ダクト４４は本実施形態においては、交互運転される２台のポンプ装置２０の間に、共通して１本のみ、設けられ、ダクト４４の断面積は、交互運転により駆動される１台のポンプ装置２０を冷却できる断面積に設定される。
【００４３】
第１圧力センサ１６ａ、及び第２圧力センサ１６ｂは、例えばピエゾ効果を利用した半導体式の圧力センサである。
【００４４】
圧力センサ１６ａ，１６ｂは、配管３０内の圧力を検出し、アナログ電圧出力可能に構成されている。圧力センサ１６ａ，１６ｂは、信号線を介して制御盤１５の制御部に接続され、検出した圧力信号を制御部に送る。
【００４５】
流量センサ１７は例えば磁石が設けられた羽根車を備え、磁石に接続されたホールＩＣにて流量検出を行う回転式のセンサである。
【００４６】
制御盤１５は、ベースフレーム５１と、ベースフレーム５１の前面である搭載面に搭載された制御機器５２と、を備える。
【００４７】
ベースフレーム５１は例えば金属板が折曲形成されて断面視Ｌ字状に構成されている。ベースフレーム５１は、収容空間内で起立するバックフレーム部５１ａと、バックフレーム部５１ａの下端部からバックフレーム部５１ａと交差する方向である前方に延びる、フロアフレーム部５１ｂとを有している。
【００４８】
ベースフレーム５１は、前面が制御機器を搭載する搭載面を構成する。ベースフレーム５１は、前面に加え、両側方及び上方が開放されている。
【００４９】
制御機器として、各ポンプ装置２０に接続される一対のインバータ５４と、主制御基板５５、電源入力基板５６、及び操作・表示基板５７と、各ポンプ装置２０に接続される一対の漏電遮断器５８と、ポンプ装置２０毎に対応して設けられた一対の直流リアクトル５９と、が、バックフレーム部５１ａの前面である搭載領域に搭載される。また、ベースフレーム５１の搭載面には制御機器５２として、漏水検知基板６１や、拡張基板６２を増設することが可能である。
【００５０】
以上のように構成された給水装置１０において、モータ２１上部に吸気ボックス４０を配置するとともに吸気ボックス４０に連通するダクト４４を備えることで、下方の空気をモータ２１の上部に案内できる。これにより、モータファン２１ｂが、給水装置１０の下部の冷たい空気を吸気するため、モータ２１の冷却効果を高めることが可能となる。すなわち、一般的に、狭い収容空間内の上段に、モータ２１と制御盤１５とが隣接して配置される給水装置において、モータ２１の排熱がポンプカバー１２内に蓄積し、給水装置全体の温度上昇が高くなる傾向にあり、使用可能なモータ軸動力が制限されるが、上記本実施形態の構成によれば、下方の空気を案内できるため冷却性を向上することができる。
【００５１】
また、パッケージ型の増圧給水装置においては、一般的な受水槽用の給水装置と異なり、
屋内で使用されるケースも多いため、高い静粛性が要求されるが、上記実施形態においては吸気ボックス４０の各層を吸音材で構成することにより、防音性を向上できる。
【００５２】
また上記実施形態においては、多孔質のウレタンフォームなどで製作された吸音体を三層に重ねて吸気ボックスを構成する単純な構成で、３次元的に配置された２つのモータファン２１ｂの吸入口２１ａとダクト４４を連通することが可能となり、防音性と放熱性を両立できる。また、吸音材で構成された吸気ボックス４０は、ファンカバー２１ｃに近接して配置されているため、モータファン２１ｂが発生する騒音を効果的に吸音できる。
【００５３】
なお、本発明は、上記実施形態に限定されるものではなく、実施段階ではその要旨を逸脱しない範囲で種々に変形することが可能である。
【００５４】
例えば、上記実施形態においては、ダクト４４は一本の長いダクト部材４４ａで構成され、ダクト部材４４ａの上端が吸気ボックス４０内に配される例を示したが、これに限られるものではない。例えば、他の実施形態として図１０乃至図１４に示すように、ダクト４４を複数の部材で構成しても良い。例えば、図１０乃至図１４に示す給水装置１０Ａは、ダクト部材４４ａの上部に接続される補助ダクト部材４５を備える。補助ダクト部材４５はダクト４４の長さを調整する延長部材であり、言い換えれば、吸気ボックスの内部空間を下方に延長する部材である。すなわち、例えばモータの出力が大きくなると、モータフレームが長くなり、ファンカバーの高さが高くなるが、各装置に応じて異なる複数種類の架台を製作すると生産性が悪くなる。そこで、本実施形態においては、モータフレームがもっとも短い機種に対応したダクト４４の長さを設定し、モータフレームがこの設定値よりも長い場合には、吸気ボックス４０の下部に、補助ダクト部材４５を接続することで、汎用性の高い構成とすることができ、生産効率を向上できる。
【００５５】
また、上記第１実施形態においては、ダクト４４の下端に設けられた下部開口４４ｃを、仕切りフレーム１１ｄに接続した例を示したが、これに限られるものではない。例えば、図１０乃至図１４に示す給水装置１０Ａにおいては、仕切りフレーム１１ｄ上に架台下部の外気を吸気する軸流ファン４６と、軸流ファン４６を収容するファンカバー４７が設けられ、ダクト４４の下端に設けられた下部開口４４ｃはファンカバー４７に接続されている。すなわち、ダクト４４内の流路はファンカバー４７内に至り、軸流ファン４６の送風口の上部に対向して開口している。また、例えばファンカバー４７の前面には、給水装置内の雰囲気を遮蔽する吸音体４８が設けられている。吸音体４８は例えば多孔質のウレタンフォームで構成された板状部材であり、ファンカバー４７の前面開口を塞ぐことで、軸流ファン４６による騒音及び振動を抑制する。本実施形態にかかる給水装置１０Ａにおいても、上記第１実施形態と同様の効果が得られる。
【００５６】
また、ポンプ、連結管などを搭載した水平方向の仕切りフレームを、架台に固定するとともに、ダクトの下端を仕切りフレームに当接して、仕切りフレーム側に外気を吸気する開口部を設けてもよい。これにより、ダクトの長さを短くすることができるため、吸気抵抗を低減することが可能となる。また、給水装置下部の空気ではなく、直接、給水装置の外側の空気を吸い込むことができるため、モータの冷却効果をより高めることが可能となる。
【００５７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５８】
１０、１０Ａ…給水装置、１１…架台、１１ａ…底フレーム、１１ｂ…後部フレーム、１１ｃ…サイドフレーム、１１ｄ…仕切りフレーム、１１ｌ…ダクト用孔、１２…ポンプカバー、１２ｅ…吸音材、１３…逆流防止装置、１４…アキュムレータ、１４ａ…接続配管、１５…制御盤、１６ａ…圧力センサ、１６ｂ…圧力センサ、１７…流量センサ、１８…逆止弁、２０…ポンプ装置、２１…モータ、２１ａ…吸入口、２１ｂ…モータファン、２１ｃ…ファンカバー、２１ｄ…ファン吸込口、２３…ポンプ、２３ａ…ポンプ吸込口、２３ｂ…ポンプ吐出口、３０…配管、３０ａ…吸込用配管、３０ｂ…吐出用配管、３１…吸込連結曲管、３１ａ…吸込口、３２…吸込連結管、３３…ボール弁、３３ａ…管部、３３ｂ…弁体、３３ｃ…ステム、３４ａ…個別吐出管、３４ｂ…吐出し連結管、３５…吐出し連結曲管、３５ａ…吐出口、３６…バイパス連結部、３７…ストレーナ、３８…弁部、３８ａ…排水口、３９…漏水検知電極、４０…吸気ボックス、４０ａ…空間、４１…第１吸気部材、４１ａ…個別孔部、４１ｂ…ダクト凹部、４２…吸気部材、４２ａ…共通孔部、４２ｂ…スリット、４３…吸気部材、４４…ダクト、４４ａ…ダクト部材、４４ｂ…上部開口、４４ｃ…下端部、４４ｃ…下部開口、４５…補助ダクト部材、４６…軸流ファン、４７…ファンカバー、４８…吸音体、５１…ベースフレーム、５１ａ…バックフレーム部、５１ｂ…フロアフレーム部、５２…制御機器、５４…インバータ、５５…主制御基板、５６…電源入力基板、５７…操作・表示基板、５８…漏電遮断器、５９…直流リアクトル、Ａ１…上部収容室、Ａ２…下部収容室。
【図１】
2019143589.tif 000003
【図２】
2019143589.tif 000004
【図３】
2019143589.tif 000005
【図４】
2019143589.tif 000006
【図５】
2019143589.tif 000007
【図６】
2019143589.tif 000008
【図７】
2019143589.tif 000009
【図８】
2019143589.tif 000010
【図９】
2019143589.tif 000011
【図１０】
2019143589.tif 000012
【図１１】
2019143589.tif 000013
【図１２】
2019143589.tif 000014
【図１３】
2019143589.tif 000015
【図１４】
2019143589.tif 000016
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
ポンプ装置と、
前記ポンプ装置を支持する架台と、
前記架台とともに前記ポンプ装置を収容する収容室を構成するポンプカバーと、
前記ポンプ装置が配される前記収容室内であって前記ポンプ装置上に配される吸気ボックスと、
前記吸気ボックス内に連通し下方に延び、前記収容室外に連通する流路を構成するダクトと、
を備える、給水装置。
【請求項２】
ポンプ装置と、
前記ポンプ装置を支持する架台と、
前記架台とともに前記ポンプ装置を収容する収容部を構成するポンプカバーと、
前記収容部内の前記ポンプ装置上に配される吸気ボックスと、
前記収容部内に配され、前記吸気ボックス内に連通し下方に延びる流路を構成するダクトと、
を備え、
前記ポンプ装置は、ポンプと、前記ポンプ上に配されるモータと、を備え、
前記ダクトは、一端が前記吸気ボックス内に連通し、前記ポンプ装置の側部において上下方向に延び、他端が前記収容部の下部に至り、
前記吸気ボックスは、前記ポンプ装置に設けられる前記モータの上部から、前記ダクトの内部の流路に連通する、空間を形成する、給水装置。
【請求項３】
ポンプ装置と、
前記ポンプ装置を支持する架台と、
前記架台とともに前記ポンプ装置を収容する収容部を構成するポンプカバーと、
前記収容部内の前記ポンプ装置上に配される吸気ボックスと、
前記収容部内に配され、前記吸気ボックス内に連通し下方に延びる流路を構成するダクトと、
前記ポンプ装置の下方に設けられた軸流ファンと、前記軸流ファンを収容するファンカバーと、を備え、
前記ダクトの他端側の開口は前記ファンカバー内の空間に連通する、給水装置。
【請求項４】
前記収容部内に複数の前記ポンプ装置が縦置きされ、
前記吸気ボックスは、複数の前記ポンプ装置の上部に連通する空間を形成し、
前記架台は、前記収容部内に配され前記ポンプ装置に接続される配管及び前記ポンプ装置を支持するとともに前記収容部内を上下に分離する仕切りフレームを備え、
前記ダクトは前記仕切りフレームに接続される請求項２または３に記載の給水装置。
【請求項５】
前記吸気ボックスは吸音材で構成された、請求項１乃至請求項４のいずれかに記載の給水装置。
【請求項６】
前記吸気ボックスは、複数の前記ポンプ装置にそれぞれ設けられるモータの上部にそれぞれ対向する複数の個別孔部を有し、前記モータの上部に配される第１吸気部材と、
前記複数の個別孔部に連通する共通孔部を有し、前記第１吸気部材上に積層される第２吸気部材と、
前記第２吸気部材上に積層され、前記ダクトの上部開口と前記共通孔部を覆う第３吸気部材と、を備える、請求項１乃至請求項５のいずれかに記載の給水装置。
【請求項７】
前記架台は、前記収容室と、前記収容室の下方に配されるとともに開口された下部空間と、を区画する仕切りフレームを備え、
前記ダクトは、前記収容室内に配された前記吸気ボックスの内部と、開口された前記下部空間とを、連通する、請求項１に記載の給水装置。
【手続補正２】
【補正対象書類名】明細書
【補正対象項目名】０００６
【補正方法】変更
【補正の内容】
【０００６】
実施形態にかかる給水装置は、ポンプ装置と、前記ポンプ装置を支持する架台と、前記架台とともに前記ポンプ装置を収容する収容室を構成するポンプカバーと、前記ポンプ装置が配される前記収容室内であって前記ポンプ装置上に配される吸気ボックスと、前記吸気ボックス内に連通し下方に延び、前記収容室外に連通する流路を構成するダクトと、を備える。
【手続補正３】
【補正対象書類名】明細書
【補正対象項目名】００１４
【補正方法】変更
【補正の内容】
【００１４】
仕切りフレーム１１ｄは、矩形の板状に構成され、後部フレーム１１ｂの前面の所定位置から前方に延びる。仕切りフレーム１１ｄは、後部フレーム１１ｂと直交する姿勢に配され、収容空間を上下に仕切る。仕切りフレーム１１ｄは、例えば水平に配される。仕切りフレーム１１ｄは、収容部をポンプ装置２０が配される上部収容室Ａ１（収容室）とアキュムレータ１４等が配される下部収容室Ａ２とに分離する。
【手続補正４】
【補正対象書類名】明細書
【補正対象項目名】００５７
【補正方法】変更
【補正の内容】
【００５７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。以下に、本願出願の当初の特許請求の範囲に記載された発明を付記する。
（１）
ポンプ装置と、
前記ポンプ装置を支持する架台と、
前記架台とともに前記ポンプ装置を収容する収容部を構成するポンプカバーと、
前記収容部内の前記ポンプ装置上に配される吸気ボックスと、
前記収容部内に配され、前記吸気ボックス内に連通し下方に延びる流路を構成するダクトと、
を備える、給水装置。
（２）
前記ポンプ装置は、ポンプと、前記ポンプ上に配されるモータと、を備え、
前記ダクトは、一端が前記吸気ボックス内に連通し、前記ポンプ装置の側部において上下方向に延び、他端が前記収容部の下部に至り、
前記吸気ボックスは、前記ポンプ装置に設けられる前記モータの上部から、前記ダクトの内部の流路に連通する、空間を形成する、（１）記載の給水装置。
（３）
前記吸気ボックスは吸音材で構成された、（１）または（２）に記載の給水装置。
（４）
前記収容部内に複数の前記ポンプ装置が縦置きされ、
前記吸気ボックスは、複数の前記ポンプ装置の上部に連通する空間を形成し、
前記架台は、前記収容部内に配され前記ポンプ装置に接続される配管及び前記ポンプ装置を支持するとともに前記収容部内を上下に分離する仕切りフレームを備え、
前記ダクトは前記仕切りフレームに接続される（１）乃至（３）のいずれかに記載の給水装置。
（５）
前記ポンプ装置の下方に設けられた軸流ファンと、前記軸流ファンを収容するファンカバーと、を備え、
前記ダクトの他端側の開口は前記ファンカバー内の空間に連通する、（１）乃至（３）のいずれかに記載の給水装置。
（６）
前記吸気ボックスは、複数のポンプ装置にそれぞれ設けられるモータの上部にそれぞれ対向する複数の個別孔部を有し、前記モータの上部に配される第１吸気部材と、
前記複数の個別孔部に連通する共通孔部を有し、前記第１吸気部材上に積層される第２吸気部材と、
前記第２吸気部材上に積層され、前記ダクトの上部開口と前記共通孔部を覆う第３吸気部材と、を備える、（１）乃至（５）のいずれかに記載の給水装置。